(57)【要約】【課題】  ブック原稿の形状を適正に補正できるときに印刷出力すると共に、見開き中央部分およびページ外形の周りの黒ずみを排除するようにした画像形成装置と、その画像補正方法および画像補正プログラムを提供する。【解決手段】  ブック原稿をスキャンして、このブック原稿の画像データの形状補正を行なって、形状補正した画像データを出力することにより、ブック原稿のページ外形の歪みを補正する画像形成装置１０において、画像補正手段２００により形状補正された画像データの形状補正を判定する補正判定部４１０を備えるように、画像形成装置１０を構成する。【選択図】  図１
2006186643.tif 000002
【特許請求の範囲】
【請求項１】
原稿をスキャンして、原稿の画像データを出力する画像読取手段と、上記画像読取手段からの画像データを処理して形状補正を行なう画像補正手段と、上記画像補正手段で形状補正された画像データを出力する画像出力手段と、これら画像読取手段，画像補正手段及び画像出力手段を制御する制御部と、備えており、上記画像補正手段が、ブック原稿のページ外形の歪みを補正するようにした画像形成装置において、
上記制御部が、画像補正手段により形状補正された画像データの形状補正を判定する補正判定部を備えている
ことを特徴とする画像形成装置。
【請求項２】
上記補正判定部の判定結果が補正可能である場合に、上記制御部が、画像出力手段を制御して、当該形状補正された画像データの出力を行なわせる
ことを特徴とする請求項１に記載の画像形成装置。
【請求項３】
上記補正判定部の判定結果が補正不可能である場合に、上記制御部が、利用者の選択に基づいて画像出力手段を制御し、当該形状補正された画像データの出力を行なわない
ことを特徴とする請求項１または２のいずれかに記載の画像形成装置。
【請求項４】
上記補正判定部の判定結果が補正不可能である場合に、上記制御部が、利用者の選択に基づいて画像出力手段を制御し、当該形状補正された画像データの出力を行ない、または形状補正前の画像データの出力を行なう
ことを特徴とする請求項１〜３のいずれかに記載の画像形成装置。
【請求項５】
上記画像補正手段が、ブック原稿の画像データに関して、見開き中央部分の黒ずみ部分を取除く
ことを特徴とする請求項１〜４のいずれかに記載の画像形成装置。
【請求項６】
上記画像補正手段が、ブック原稿の画像データに関して、ページ外形の周りの黒ずみ部分を取除く
ことを特徴とする請求項１〜５のいずれかに記載の画像形成装置。
【請求項７】
原稿をスキャンして、原稿の画像データを読み取って、この画像データを処理して形状補正を行なって、形状補正した画像データを出力することにより、ブック原稿のページ外形の歪みを補正するようにした画像形成装置の画像補正方法において、
形状補正された画像データの形状補正を判定して、その判定結果に対する利用者の選択に基づいて、この形状補正された画像データを出力し、または出力せず、あるいは形状補正前の画像データを出力する
ことを特徴とする画像形成装置の画像補正方法。
【請求項８】
形状補正に伴って、ブック原稿の見開き中央部分および／またはページ外形の周りの黒ずみ部分を取除く
ことを特徴とする請求項７に記載の画像形成装置の画像補正方法。
【請求項９】
画像読取手段が原稿をスキャンして原稿の画像データを読み取る手順と、画像補正手段が上記画像データを処理して形状補正を行う手順と、画像出力手段が形状補正された画像データを出力する手順と、上記画像補正手段がブック原稿のページ外形の歪みを補正する手順とを画像形成装置に実行させるための画像形成装置の画像補正プログラムにおいて、
補正判定手段が形状補正された画像データの形状補正を判定する手順と、
制御手段が、上記判定の結果に対する利用者の選択に基づいて、上記画像出力手段に上記形状補正された画像データを出力させる手順と、
上記制御手段が、上記判定の結果に対する利用者の選択に基づいて、上記画像出力手段に上記形成補正された画像データを出力させない手順と、
上記制御手段が、上記判定の結果に対する利用者の選択に基づいて、上記画像出力手段に形状補正前の画像データを出力させる手順と
を上記画像形成装置に実行させる
ことを特徴とする画像形成装置の画像補正プログラム。
【請求項１０】
上記画像補正手段が、上記形状補正に伴って、ブック原稿の見開き中央部分及び／又はページ外形の周りの黒ずみ部分を取除く手順を上記画像形成装置に実行させる
ことを特徴とする請求項９に記載の画像形成装置の画像補正プログラム。
【発明の詳細な説明】
【技術分野】
【０００１】
本発明は、例えばコピー機，ファクシミリ装置等の原稿の画像を読み取って、印刷出力する画像形成装置に関し、特にブック原稿の画像形状補正に関する。
【背景技術】
【０００２】
一般に、例えばコピー機，ファクシミリ装置等の画像形成装置において、ブック原稿の画像を読み取って、印刷出力する場合、図６に示すように、ブック原稿１の厚さｄのために見開き中央部分が平坦にならない。このため、この見開き中央部分が原稿台の表面から浮き上がってしまう。
従って、この見開き中央部分において、原稿の読取距離が長くなることから、ブック原稿の読取画像２は、図７に示すように、見開き中央部分２ａが途切れると共に、特に上下縁にてページ外形が大きく内側に湾曲して歪みを生ずることが知られている。
【０００３】
これに対して、例えば特許文献１による画像形成装置においては、ブック原稿の読取画像に関して、形状補正手段によって、ページ外形の直線部分および曲線部分を検出して、図８に示すように、ブック原稿２の読取画像のページ外形２ｂを補正するようにしている。
【特許文献１】特開２００４−０４８６６３
【発明の開示】
【発明が解決しようとする課題】
【０００４】
ところで、ブック原稿に関して、例えばパンフレット形式の薄いものから、百科辞典や図鑑等の非常に厚いものまで、多種多様のブック原稿が存在する。このため、ブック原稿の見開き中央部分の歪みは、殆どないものから非常に大きいものまで存在することになる。
【０００５】
しかしながら、特許文献１による画像形成装置においては、ブック原稿の読取画像に関して、一律に形状補正を行なうようになっている。このため、所定の厚さのブック原稿については、ブック原稿の読取画像のページ外形が適正に形状補正されることになる。
これに対して、非常に厚いブック原稿の場合には、ブック原稿の読取画像のページ外形の形状補正が補正不足になると共に、薄いブック原稿の場合には、ブック原稿の読取画像のページ外形の形状補正が補正過剰になってしまうことがある。
【０００６】
また、ブック原稿の見開き中央部分の最も原稿台から離反した部分は、原稿読取の際に読取光が原稿表面によって正しく反射されないために、図９にて符号Ａで示すように、印刷出力の際に黒ずんでしまう。
【０００７】
さらに、ブック原稿の場合には、見開きによってページ外形がずれることにより、ページ外形が規定の原稿サイズにはならない。このため、ブック原稿の画像読取の際に、ブック原稿のページ外形の周りに空間が存在することになり、同様に、印刷出力の際に、図９にて符号Ｂで示すように黒ずんだ部分が生ずることになる。
【０００８】
本発明は、上記の問題を解決すべくなされたものであり、ブック原稿の形状を適正に補正できるときに印刷出力すると共に、見開き中央部分およびページ外形の周りの黒ずみを排除するようにした画像形成装置と、その画像補正方法および画像補正プログラムの提供を目的とする。
【課題を解決するための手段】
【０００９】
この目的を達成するため、本発明の請求項１記載の画像形成装置は、原稿をスキャンして、原稿の画像データを出力する画像読取手段と、上記画像読取手段からの画像データを処理して形状補正を行なう画像補正手段と、上記画像補正手段で形状補正された画像データを出力する画像出力手段と、これら画像読取手段，画像補正手段および画像出力手段を制御する制御部と、備えており、上記画像補正手段が、ブック原稿のページ外形の歪みを補正するようにした画像形成装置において、上記制御部が、画像補正手段により形状補正された画像データの形状補正を判定する補正判定部を備えている構成としてある。
【００１０】
画像形成装置をこのような構成とすると、画像読取手段で読み取ったブック原稿の画像データを画像補正手段により形状補正して、画像出力手段により出力する際に、制御部の補正判定部が、画像補正手段により形状補正されたブック原稿の画像データの形状補正について、補正可能か補正不可能かを判定する。
これにより、利用者は、この補正判定部の判定結果に基づいて、形状補正が適正である場合に画像データを出力することができると共に、補正不可能な場合には当該形状補正された画像データを出力しないことにより、用紙の無駄使いを排除することができる。
【００１１】
また、請求項２記載の画像形成装置は、上記補正判定部の判定結果が補正可能である場合に、上記制御部が、画像出力手段を制御して、当該形状補正された画像データの出力を行なわせる構成としてある。
画像形成装置をこのような構成とすると、利用者は、補正可能な場合に限り、当該形状補正された画像データを出力することができる。
【００１２】
また、請求項３記載の画像形成装置は、上記補正判定部の判定結果が補正不可能である場合に、上記制御部が、利用者の選択に基づいて画像出力手段を制御し、当該形状補正された画像データの出力を行なわない構成としてある。
画像形成装置をこのような構成とすると、利用者は、補正不可能な場合には、当該形状補正された画像データを出力しないことにより、用紙の無駄使いを排除することができる。
【００１３】
また、請求項４記載の画像形成装置は、上記補正判定部の判定結果が補正不可能である場合に、上記制御部が、利用者の選択に基づいて画像出力手段を制御し、当該形状補正された画像データの出力を行ない、または形状補正前の画像データの出力を行なう構成としてある。
画像形成装置をこのような構成とすると、利用者は、補正不可能であっても当該ブック原稿の画像データを出力したい場合には、当該形状補正された画像データまたは補正前の画像データを出力することができる。
【００１４】
また、請求項５記載の画像形成装置は、上記画像補正手段が、ブック原稿の画像データに関して、見開き中央部分の黒ずみ部分を取除く構成としてある。
画像形成装置をこのような構成とすると、ブック原稿の見開き中央部分が原稿台表面から浮き上がることにより発生する黒ずみ部分が取除かれることにより、見易い出力が得られる。
【００１５】
また、請求項６記載の画像形成装置は、上記画像補正手段が、ブック原稿の画像データに関して、ページ外形の周りの黒ずみ部分を取除く構成としてある。
画像形成装置をこのような構成とすると、ブック原稿のページ外形の周りの空間に対応して発生する黒ずみ部分が取除かれることにより、見易い出力が得られる。
【００１６】
また、請求項７記載の画像形成装置の画像補正方法は、原稿をスキャンして、原稿の画像データを読み取って、この画像データを処理して形状補正を行なって、形状補正した画像データを出力することにより、ブック原稿のページ外形の歪みを補正するようにした画像形成装置の画像補正方法において、形状補正された画像データの形状補正を判定して、その判定結果に対する利用者の選択に基づいて、この形状補正された画像データを出力し、または出力せず、あるいは形状補正前の画像データを出力する構成としてある。
また、請求項８記載の画像形成装置の画像補正方法は、形状補正に伴って、ブック原稿の見開き中央部分および／またはページ外形の周りの黒ずみ部分を取除く構成としてある。
このように、本発明は、方法としても実現化することができる。
【００１７】
また、請求項９記載の画像形成装置の画像補正プログラムは、原稿をスキャンして原稿の画像データを読み取る手順と、上記画像データを処理して形状補正を行う手順と、形状補正した画像データを出力することにより、ブック原稿のページ外形の歪みを補正する手順とをコンピュータに実行させるための画像形成装置の画像補正プログラムにおいて、形状補正された画像データの形状補正を判定する手順と、上記判定の結果に対する利用者の選択に基づいて、上記形状補正された画像データを出力し、または出力せず、あるいは形状補正前の画像データを出力する手順とを上記コンピュータに実行させる構成としてある。
また、請求項１０記載の画像形成装置の画像補正プログラムは、上記形状補正に伴って、ブック原稿の見開き中央部分及び／又はページ外形の周りの黒ずみ部分を取除く手順を上記コンピュータに実行させる構成としてある。
このように、本発明は、プログラムとしても実現化することができる。
【発明の効果】
【００１８】
このように、本発明によれば、ブック原稿の画像データを読み取った場合に、見開き中央部分で発生する形状歪みを形状補正すると共に、その形状補正に関して補正可能か補正不可能かの判定を補正判定部により行なうことにより、利用者は、その判定結果に基づいて、画像データの出力前に、形状補正が適正か否かを判断することができる。従って、補正不可能な場合には、利用者の選択に基づいて、当該画像データを出力しないことにより、用紙の無駄使いを排除することができる。
【発明を実施するための最良の形態】
【００１９】
以下、本発明の画像形成装置の一実施形態について、図１を参照して説明する。
図１は、本発明による画像形成装置の一実施形態の構成を示している。
図１に示すように、画像形成装置１０は、例えばデジタルコピー機として、画像読取手段１００と、画像補正手段２００と、画像出力手段３００と、制御部（制御手段）４００と、から構成されている。
ここで、上記画像補正手段２００および制御部４００は、コンピュータ上で動作するプログラムにより動作が制御されるようになっている。
【００２０】
上記画像読取手段１００は、スキャナ等の公知の構成であって、原稿台表面に載置された原稿の画像読取を行なって、画像データを生成して出力するものであり、この場合、原稿台表面に載置されたブック原稿の読取を行なうことができるように構成されている。
【００２１】
上記画像補正手段２００は、図２に示すように、形状補正部（形状補正手段）２１０と、黒ずみ補正部（黒ずみ補正手段）２２０と、記憶手段２３０と、から構成されている。
ここで、上記形状補正部２１０および黒ずみ補正部２２０は、一体に構成されていて、形状補正および黒ずみ補正を同時に行なうようにしてもよい。
【００２２】
上記形状補正部２１０は、公知の構成であって、上記画像読取手段１００からの画像データのうち、ブック原稿の画像データに関して、見開き中央部分の歪みを補正し、形状補正した画像データを出力するようになっている。
【００２３】
また、上記黒ずみ補正部２２０は、上記画像読取手段１００からの画像データのうち、ブック原稿の画像データに関して、見開き中央部分の黒ずみおよびページ外形の周りの黒ずみを取除いて、黒ずみ補正した画像データを出力するようになっている。
【００２４】
具体的には、画像データの画像補正は以下のようにして行なわれる。
すなわち、まず上記黒ずみ補正部２２０が、図３に示すように、ブック原稿２２１の見開き中央部分２２１ａの領域について、画像濃度により黒ずみを検出し、この見開き中央部分２２１ａに隣接する領域２２１ｂの背景色を参考にして、見開き中央部分２２１ａの背景色を設定する。
続いて、上記形状補正部２１０が、ブック原稿２２１の見開き中央部分２２１ａに関して、図４（Ａ）に示すように、上半分については上方に向かって形状補正を行なうと共に、図４（Ｂ）に示すように、下半分については下方に向かって形状補正を行なう。
【００２５】
その際、上記形状補正部２１０は、ブック原稿２２１のページ外形の上縁２２１ｃおよび下縁２１ｄで、ページ外形が直線状になるように、形状補正を行なう。
さらに、上記黒ずみ補正部２２０は、ブック原稿の画像データからページ外形を検出し、このページ外形の周りの黒ずみ部分を検出することにより、この黒ずみ部分を取除いて、黒ずみ補正された画像データを生成する。
【００２６】
上記記憶手段２３０は、上記画像読取手段１００からの画像データ，形状補正部２１０で形状補正された画像データそして黒ずみ補正部２２０で黒ずみ補正された画像データが逐次記録されると共に、必要に応じて適宜に読み出され得るようになっている。
【００２７】
上記画像出力手段３００は、公知の構成であって、例えばプリンタエンジンとして構成されており、印刷すべき画像データが入力されることにより、当該画像データに基づいて印刷出力を行なうようになっている。
【００２８】
上記制御部４００は、上述した画像読取手段１００，画像補正手段２００および画像出力手段３００を適宜に制御するようになっている。
ここで、上記制御部４００は、前もって原稿種類としてブック原稿が設定されている場合には、原稿台表面に載置されたブック原稿を画像読取手段１００で読み取って画像データを生成し、この画像データを画像補正手段２００により形状補正および黒ずみ補正して、画像出力手段３００により印刷出力するようになっている。
【００２９】
これに対して、原稿種類としてブック原稿が設定されていない場合（すなわち通常の用紙原稿の場合）には、上記制御部４００は、画像補正手段２００による画像補正を行なわずに、原稿台表面に載置された用紙原稿を画像読取手段１００で読み取って画像データを生成し、この画像データを直接に画像出力手段３００により印刷出力するようになっている。
また、画像補正しない旨の設定がされている場合も、同様にして、上記制御部４００は、画像補正手段２００による画像補正を行なわずに、原稿台表面に載置された用紙原稿を画像読取手段１００で読み取って画像データを生成し、この画像データを直接に画像出力手段３００により印刷出力するようになっている。
【００３０】
さらに、上記制御部４００は、補正判定部（補正判定手段）４１０を備えている。
この補正判定部４１０は、上記画像補正手段２００の形状補正部２１０による形状補正および黒ずみ補正部２２０による黒ずみ補正について判定を行ない、補正が適正に行なわれている場合には、補正可能と判定し、また補正が不適正である場合には、補正不可能と判定する。
この判定結果を受けて、上記制御部４００は、判定結果が補正可能な場合には、そのまま形状補正および黒ずみ補正された画像データを画像出力手段３００により印刷出力する。
【００３１】
この補正判定部４１０における補正の適正・不適正の判定について、さらに説明する。
例えば、図３に示すように、スキャンを行う原稿がブック原稿である場合、その印字結果は、見開き中央部分２２１ａにおける「２」を中心として「１」から「３」までの領域が黒ずんでしまう。また、その黒ずみは、中心へ近づくほど（すなわち、「１」→「２」、「３」→「２」へ近づくほど）その濃さを増すと思われる。本発明の画像補正手段２００は、原稿中央である「２」付近上下の画像（湾曲部分）と、さらに前述した「２」に近づけば近づくほど黒ずみが増しているという現象を検知し、画像補正適切の判断材料とする。中央部分の黒ずみの遷移現象を検知する必要があるのは、万が一、図３のようなブック原稿ではない原稿が存在する可能性があるためである。
したがって、黒ずみの遷移距離（ある一定の濃度を越えた黒ずみが発生している距離）、またそれと共にその黒ずみ部分の上下の湾曲を計算した上でその黒ずみ遷移距離、湾曲の数値を、そのシステム内（これは内部で設定されたデフォルトになると思われる。算出した数値がある一定の数値よりも大きい場合など）で検証し、画像補正適切か、不適切か判定する。
システム内での検証は、あくまで補正を行うことによってある程度の効果が認められると考える場合のみである。
【００３２】
これに対して、判定結果が補正不可能である場合には、その判定結果を、画像形成装置１０に備えられた操作パネル（図示せず）の表示部（表示手段）に表示し、利用者の操作パネルの操作部の操作による選択に従って、その後の処理を行なうことになる。
すなわち、上記制御部４００は、利用者が操作部（操作手段）の操作により「印刷しない」が選択された場合には、上記画像出力手段３００による当該画像データの印刷出力を中止する。
【００３３】
また、上記制御部４００は、利用者が操作部の操作により「印刷続行」が選択された場合には、上記画像出力手段３００による当該補正された画像データの印刷出力を行なう。
さらに、上記制御部４００は、利用者が操作部の操作により「補正せずに印刷」が選択された場合には、上記記憶手段２３０から補正前の画像データを読み出して画像出力手段３００に出力し、画像出力手段３００により補正前の画像データの印刷出力を行なう。
【００３４】
次に、本実施形態の画像形成装置１０の画像補正および出力動作について、図５を参照して説明する。
図５は、画像形成装置１０の画像補正および出力動作を示すフローチャートである。
図５において、まず上記制御部４００は、ステップＡ１にて、ブック原稿が設定されているか否かを判定し、ブック原稿が設定されていない場合には、画像補正を行なわずに、ステップＡ２にて、画像読取手段１００で原稿の画像読取を行なって、ステップＡ３にて、画像データを画像出力手段３００により印刷出力して、処理を終了する。この場合、画像補正手段２００は、画像読取手段１００からの画像データをそのまま画像出力手段３００に出力することになる。
【００３５】
これに対して、ステップＡ１にてブック原稿が設定されている場合には、上記制御部４００は、ステップＡ４にて、画像補正が設定されているか否かを判定し、画像補正が設定されていない場合には、同様に画像補正を行なわずに、ステップＡ２に進んで、ブック原稿の画像読取および画像出力を行なって、処理を終了する。
【００３６】
また、ステップＡ４にて、画像補正が設定されている場合には、上記制御部４００は、ステップＡ５にて、画像読取手段１００で原稿の画像読取を行なって、ステップＡ６にて、画像データを画像補正手段２００により画像補正する。
次に、上記制御部４００は、ステップＡ７にて、補正判定部４１０により、画像補正された画像データの補正を判定する。
【００３７】
そして、ステップＡ７にて補正可能な場合には、上記制御部４００は、ステップＡ８にて、画像補正手段２００で画像補正された画像データを、画像出力手段３００により印刷出力して、処理を終了する。
また、ステップＡ７にて補正不可能な場合には、上記制御部４００は、ステップＡ９にて、補正不可能な旨を画像形成装置１０の操作パネルの表示部に表示して、ステップＡ１０にて、利用者の選択を待つ。
【００３８】
そして、利用者が操作パネルの操作部を操作して、その後の処理を選択すると、ステップＡ１０にて、上記選択が「印刷しない」の場合には、上記制御部４００は、ステップＡ１１にて、画像補正された画像データの印刷出力を中止して、処理を終了する。
また、ステップＡ１０にて、上記選択が「印刷続行」の場合には、上記制御部４００は、ステップＡ８に進んで、画像補正手段２００で画像補正された画像データを、画像出力手段３００により印刷出力して、処理を終了する。
さらに、ステップＡ１０にて、上記選択が「補正せずに印刷」の場合には、上記制御部４００は、ステップＡ１２にて、画像補正手段２００で画像補正される前の画像データを、画像出力手段３００により印刷出力して、処理を終了する。
以上で、画像補正および出力動作の処理が完了する。
【００３９】
次に、画像補正プログラムについて説明する。
上記の実施形態におけるコンピュータ（画像形成装置）の画像補正機能（画像補正方法を実行する機能）は、記憶手段（例えば、ＲＯＭなど）に記憶された画像補正プログラムにより実現される。
画像補正プログラムは、コンピュータの制御手段（ＣＰＵなど）に読み込まれることにより、コンピュータの構成各部に指令を送り、所定の手順、たとえば、画像読取手段が原稿をスキャンして原稿の画像データを読み取る手順、画像出力手段が画像データを処理して形状補正を行う手順、制御部（制御手段）が画像読取手段，画像補正手段，画像出力手段を制御する手順、画像補正手段がブック原稿のページ外形の歪みを補正する手順、補正判定部（補正判定手段）が形状補正された画像データの形状補正を判定する手順、制御手段が、判定の結果に対する利用者の選択に基づいて画像出力手段に上記形状補正された画像データを出力させる手順、制御手段が、判定の結果に対する利用者の選択に基づいて画像出力手段に形成補正された画像データを出力させない手順、制御手段が、判定の結果に対する利用者の選択に基づいて画像出力手段に形状補正前の画像データを出力させる手順、画像補正手段が、形状補正に伴ってブック原稿の見開き中央部分及び／又はページ外形の周りの黒ずみ部分を取除く手順などを実行させる。
これによって、画像補正機能は、ソフトウエアである画像補正プログラムとハードウエア資源であるコンピュータ（画像形成装置）の各構成手段とが協働することにより実現・実行される。
【００４０】
なお、画像補正機能を実現・実行するための画像補正プログラムは、コンピュータのＲＯＭやハードディスクなどに記憶される他、コンピュータ読み取り可能な記録媒体、たとえば、外部記憶装置及び可搬記録媒体等に格納することができる。
外部記憶装置とは、ＣＤ−ＲＯＭ等の記憶媒体を内蔵し、画像形成装置に外部接続されるメモリ増設装置をいう。一方、可搬記録媒体とは、記録媒体駆動装置（ドライブ装置）に装着でき、かつ、持ち運び可能な記録媒体であって、たとえば、フレキシブルディスク，メモリカード，光磁気ディスク等をいう。
【００４１】
そして、記録媒体に記録されたプログラムは、コンピュータのＲＡＭ等にロードされて、ＣＰＵ（制御手段）により実行される。この実行により、上述した本実施形態の画像形成装置の機能が実現される。
さらに、コンピュータで画像補正プログラムをロードする場合、他のコンピュータで保有された画像補正プログラムを、通信回線を利用して自己の有するＲＡＭや外部記憶装置にダウンロードすることもできる。このダウンロードされた画像補正プログラムも、ＣＰＵにより実行され、本実施形態の画像形成装置の画像補正機能を実現する。
【００４２】
以上、本発明の画像形成装置、画像補正方法及び画像補正プログラムについて、好ましい実施形態を示して説明したが、本発明に係る画像形成装置、画像補正方法及び画像補正プログラムは、上述した実施形態にのみ限定されるものではなく、本発明の範囲で種々の変更実施が可能であることは言うまでもない。
例えば、上述した実施形態においては、制御部４００の補正判定部４１０は、画像補正装置２００により形状補正および黒ずみ補正された画像データに基づいて判定を行なうようになっているが、画像読取装置１００からの画像データについて見開き中央部分を検出して、補正可能または補正不可能の判定を行なうようにしてもよい。
また、上述した実施形態においては、画像形成装置がデジタルコピー機の場合について説明したが、これに限らず、例えばファクシミリ装置，スキャナ装置や複合機等の他の種類の画像形成装置であっても、本発明を適用し得ることは明らかである。
【００４３】
このようにして、本発明によれば、ブック原稿の形状を適正に補正できるときに印刷出力すると共に、見開き中央部分およびページ外形の周りの黒ずみを排除するようにした画像形成装置と、その画像補正方法および画像補正プログラムを提供することができる。
【産業上の利用可能性】
【００４４】
本発明は、ブック原稿のスキャン時における形状補正に関する発明であるため、画像の形状補正機能を有した機器や装置に利用可能である。
【図面の簡単な説明】
【００４５】
【図１】本発明による画像形成装置の一実施形態の構成を示すブロック図である。
【図２】図１の画像形成装置における画像補正手段の構成を示すブロック図である。
【図３】図１の画像形成装置におけるブック原稿の読取画像を示す概略図である。
【図４】図２の画像補正装置におけるブック原稿の（Ａ）上半分および（Ｂ）下半分の形状補正を説明する図である。
【図５】図１の画像形成装置における画像補正および出力動作を示すフローチャートである。
【図６】ブック原稿の一例を示す概略図である。
【図７】従来の画像形成装置により読み取られた図６のブック原稿の読取画像を示す図である。
【図８】従来の画像形成装置により形状補正された図６ブック原稿の読取画像を示す図である。
【図９】従来の画像形成装置により読み取られたブック原稿の見開き中央部分およびページ外形の周りの黒ずみ部分を示す説明図である。
【符号の説明】
【００４６】
１０    画像形成装置
１００    画像読取手段
２００    画像補正手段
２１０    形状補正部
２２０    黒ずみ補正部
２３０    記憶手段
３００    画像出力手段
４００    制御部
４１０    補正判定部
【図１】
2006186643.tif 000003
【図２】
2006186643.tif 000004
【図３】
2006186643.tif 000005
【図４】
2006186643.tif 000006
【図５】
2006186643.tif 000007
【図６】
2006186643.tif 000008
【図７】
2006186643.tif 000009
【図８】
2006186643.tif 000010
【図９】
2006186643.tif 000011